(57)【要約】【課題】眼科における処置に関し、安全性の向上および所要時間の短縮化を図り、医師および患者にかかる負担を軽減すると共に、患者に安心感を与える。【解決手段】ヘッドレスト１０は、支柱９と、後部枕１１と、後部枕１１を支持する枕ホルダー１２とから構成されるヘッドレスト本体１５と、側部枕１３と、側部枕１３を後部枕１１の左側および右側のいずれか一方または左右両側に取り付けるための取付具１４とを備えている。側部枕１３は、枕部１３ａと、枕部１３ａの底面Ｚから下方に延びる２本の支持脚１３ｄとから形成されている。枕部１３ａには支持脚１３ｄが取り付けられている。取付具１４は、後部枕１１の両側の側面にボルト１４ｂによって固定されており、取付具１４の２つの溝１４ａには、側部枕１３の支持脚１３ｄの下端部が挿入されている。【選択図】図４
2008036246.tif 000002
【特許請求の範囲】
【請求項１】
眼科における処置の際に使用されるヘッドレストであって、
患者の後頭部を支持する後部枕を有するヘッドレスト本体と、
前記患者の少なくとも一方側の側頭部と接する側面を有し、前記患者の頭部が左右方向へ移動することを規制する側部枕と、
前記ヘッドレスト本体に設けられ、前記側部枕を前記ヘッドレスト本体に着脱自在に取り付ける取付具と、を備えるヘッドレスト。
【請求項２】
前記側部枕は、前記取付具によって前記後部枕の左右両側に取り付けられ、前記患者の頭部が左右いずれの方向へも移動しない様に規制する、請求項１に記載のヘッドレスト。
【請求項３】
前記側部枕の左右方向位置を調整する位置調整機構を備えている、請求項１または２に記載のヘッドレスト。
【請求項４】
前記位置調整機構は、
前記後部枕の側面から左右方向に延び、前記取付具をスライド自在に支持するガイド部材と、
前記ガイド部材に対する前記取付具のスライド移動を規制するストッパと、を備える、請求項３に記載のヘッドレスト。
【請求項５】
前記側部枕は、前記側面を有する枕部と、前記枕部の底面から下方に延び、前記取付具と係合する支持脚と、を有し、
前記側面は、第１の側面と、前記第１の側面の反対側に位置する第２の側面と、を有し、
左右方向に関し、前記第１の側面と前記支持脚との距離は、前記第２の側面と前記支持脚との距離よりも短く、
前記側部枕は前記取付具に左右反転させて取付可能である、請求項１〜４のいずれか一つに記載のヘッドレスト。
【請求項６】
前記側部枕に替えて、前記取付具に着脱自在に取り付けられ、前記患者を処置する医師の手首を支えるリストレストを備える、請求項１に記載のヘッドレスト。
【請求項７】
前記側部枕に替えて、前記取付具に着脱自在に取り付けられ、前記患者の処置に使用される器械を一時的に載置する器械台を備える、請求項１に記載のヘッドレスト。
【請求項８】
請求項１〜７のいずれか一つに記載のヘッドレストを備えた眼科用処置椅子。
【発明の詳細な説明】
【技術分野】
【０００１】
本発明は、ヘッドレストおよびそれを備えた眼科用処置椅子に関するものである。
【背景技術】
【０００２】
従来、眼科の診療や手術等の処置を行う際に、ヘッドレストを備えた処置椅子や処置台が用いられている（例えば、特許文献１、２参照）。当該ヘッドレストは、処置を受ける患者の頭部を支持するものであり、クッション部材からなる枕や枕ホルダー等により構成されている。患者は、処置椅子や処置台に載る際、後頭部をヘッドレストに持たせ掛ける。このようにして、患者の後頭部はヘッドレストにより安定して支持される。
【０００３】
ところで、眼科の診療や手術を行う際、患者の頭部が僅かでも動くと患部が医師の手元から逸れてしまい、危険を伴うことが多い。また、眼科の手術等の際、患者には局部麻酔がかけられるだけで施術される。そのため、施術の際、患者はメス等の接近を目の当たりにしなければならず、反射的に顔を背けてしまうことが多い。例えば、眼科手術の中には、施術者が患者の側方から施術する耳側切開術といった施術方法がある。この施術方法を用いた場合、患者は本能的に施術者とは反対側に顔を退けてしまう傾向がある。
【特許文献１】特開平９−２２０２６４号公報
【特許文献２】特開２００２−６７５号公報
【発明の開示】
【発明が解決しようとする課題】
【０００４】
しかしながら、特許文献１または２に開示された眼科用処置椅子または眼科用処置台に備えられているヘッドレストでは、患者の頭部を安定的に支持することはできるものの、患者の頭部が左右方向に移動しない様に固定することはできなかった。そのため、患者は施術の際であっても自由に頭部を左右方向に移動等させることが可能であった。特に、眼科手術の際には、上述のように医師から本能的に顔を背けてしまうことが多いため、医師はその度に手を止めなければならず、施術に要する時間が長くなるという問題があった。また、医師は患者の動作に細心の注意を払わなければならず、医師にかかる負担が大きかった。さらに、施術に要する時間が長くなると、患者にかかる精神的負担および肉体的負担が大きくなるという問題もあった。
【０００５】
本発明は、かかる点に鑑みてなされたものであり、その目的とするところは、眼科における処置に関し、安全性の向上および所要時間の短縮化を図り、医師および患者にかかる負担を軽減すると共に、患者に安心感を与えることにある。
【課題を解決するための手段】
【０００６】
本発明に係るヘッドレストは、眼科における処置の際に使用されるヘッドレストであって、患者の後頭部を支持する後部枕を有するヘッドレスト本体と、前記患者の少なくとも一方側の側頭部と接する側面を有し、前記患者の頭部が左右方向へ移動することを規制する側部枕と、前記ヘッドレスト本体に設けられ、前記側部枕を前記ヘッドレスト本体に着脱自在に取り付ける取付具と、を備えるものである。
【０００７】
ここでいう処置には、診療、治療、手術等の眼科における処置全般が含まれる。
【０００８】
上記ヘッドレストは、従来用いられているヘッドレスト本体に加え、患者の頭部が左右方向へ移動することを規制する側部枕を備えている。そのため、処置の際、患者は処置を行う医師から顔を背けることができなくなる。したがって、上記ヘッドレストによれば、医師は患者の頭部の動作に煩わされず、安心して処置を行うことができ、医師の負担を軽減することができる。また、処置に関し、安全性の向上および所要時間の短縮化を図ることもできる。そのため、本ヘッドレストによれば、患者の精神的負担および肉体的負担を軽減することができる。また、患者は安心感を得ることができる。
【０００９】
前記側部枕は、前記取付具によって前記後部枕の左右両側に取り付けられ、前記患者の頭部が左右いずれの方向へも移動しない様に規制することが好ましい。
【００１０】
このことにより、患者は、頭部を左側方向へも右側方向へも移動させることが規制される。そのため、上記ヘッドレストによれば、より確実に患者の頭部を固定することができ、安全に処置を行うことが可能となる。そのため、本ヘッドレストによれば、医師および患者にかかる負担をより軽減することができる。
【００１１】
前記ヘッドレストは、前記側部枕の左右方向位置を調整する位置調整機構を備えていることが好ましい。
【００１２】
頭部の幅は患者の性別や年齢、体型等によって異なる。しかし、上記ヘッドレストによれば、側部枕の左右方向位置を調整することができるため、様々な患者に対応することができる。
【００１３】
前記位置調整機構は、前記後部枕の側面から左右方向に延び、前記取付具をスライド自在に支持するガイド部材と、前記ガイド部材に対する前記取付具のスライド移動を規制するストッパと、を備えることが好ましい。
【００１４】
このことにより、簡単な構成により、側部枕の左右方向位置を自在に調整することができる。
【００１５】
前記側部枕は、前記側面を有する枕部と、前記枕部の底面から下方に延び、前記取付具と係合する支持脚と、を有し、前記側面は、第１の側面と、前記第１の側面の反対側に位置する第２の側面と、を有し、左右方向に関し、前記第１の側面と前記支持脚との距離は、前記第２の側面と前記支持脚との距離よりも短く、前記側部枕は前記取付具に左右反転させて取付可能であることが好ましい。
【００１６】
上記ヘッドレストの側部枕の支持脚は、枕部の第１の側面と第２の側面との間にある中心線よりも第１の側面側に設けられており、支持脚は偏心している。これにより、側部枕を、第１の側面が内側（患者側）に向くように取り付けた場合、第２の側面が内側に向くように取り付けた場合よりも側部枕が外側の位置（患者から離れた位置）に設置されることとなる。したがって、上記ヘッドレストによれば、簡単な構成により、側部枕の左右方向における設置位置を変更することが可能となる。
【００１７】
前記ヘッドレストは、前記側部枕に替えて、前記取付具に着脱自在に取り付けられ、前記患者を処置する医師の手首を支えるリストレストを備えることとしてもよい。
【００１８】
上記ヘッドレストによれば、側部枕をリストレストに簡単に取り替えることができる。そのため、処置の種類に応じて側部枕またはリストレストを着脱することにより、医師の負担を軽減することができる。
【００１９】
前記ヘッドレストは、前記側部枕に替えて、前記取付具に着脱自在に取り付けられ、前記患者の処置に使用される器械を一時的に載置する器械台を備えることとしてもよい。
【００２０】
ここで、器械台とは、処置中に、メスや止血紙等の処置に使用される器械類を一時的に載置する台をいう。
【００２１】
上記ヘッドレストによれば、側部枕を器械台に簡単に取り替えることができる。そのため、処置の種類に応じて側部枕または器械台を着脱することにより、医師の負担を軽減することができる。
【００２２】
本発明に係る眼科用処置椅子は、前記ヘッドレストを備えたものである。
【００２３】
このことにより、患者の頭部を支持すると共に患者の頭部の動作を規制するヘッドレストを備えた眼科用処置椅子を提供することができる。
【発明の効果】
【００２４】
以上のように、本発明によれば、眼科における処置に関し、安全性の向上および所要時間の短縮化を図り、医師および患者にかかる負担を軽減すると共に、患者に安心感を与えることができる。
【発明を実施するための最良の形態】
【００２５】
以下、本発明の実施形態を図面に基づいて詳細に説明する。
【００２６】
＜実施形態１＞
図１に示すように、実施形態に係る椅子１は、例えば、眼科の診療や手術等の処置に用いられる眼科用処置椅子である。なお、図示のとおり、椅子１に着座した患者を基準として前後の方向を称することとする。
【００２７】
椅子１は、全重量を支持する支持部２と、支持部２の上部に設けられ、患者を座らせるための椅子部３とを備えている。支持部２には昇降装置や回転装置等（図示省略）が収容されており、椅子部３を鉛直方向に昇降させたり、回転させたりする。椅子部３は、支持部２上に設けられ、患者が着座する着座部４と、着座部４の後側上方に取り付けられ、患者の背部を支持する背もたれ部５と、着座部４の両側に取り付けられ、患者の腕部を支持するアームレスト６と、着座部４の前側下方に取り付けられ、患者の脚部を支持するエプロン部７とを備えている。椅子部３は、支持部２内に設けられた駆動装置により、背もたれ部５およびエプロン部７が略直立状態となる椅子状態（図１参照）と、着座部４が上昇し、かつ、背もたれ部５およびエプロン部７が略水平状態となる寝台状態（図２参照）との間で、状態変更が自在となる様に構成されている。
【００２８】
背もたれ部５の内部には、背もたれ部５を支持する支柱９が設けられている。支柱９は、伸縮自在に構成され（図２参照）、上端部の一部が背もたれ部５の内部から上方に延出している。支柱９の上端部付近には、ヘッドレスト１０が取り付けられている。
【００２９】
図３は、図２の状態（寝台状態）において、ヘッドレスト１０を患者の足元側から頭側に向かって（図２の右側から左側に向かって）視た図であり、図４は、図３方向から視たヘッドレスト１０の断面図である。なお、ここでも椅子１に着座した患者を基準として前後左右の方向を称することとする。よって、以下、図３および図４において図示するように、紙面右側を左側と、紙面左側を右側と、また、紙面上側を前側と、紙面下側を後側と称する。なお、図５はヘッドレスト１０の右側面図であり、図６はヘッドレスト１０の正面図である。
【００３０】
図３に示すように、ヘッドレスト１０は、前述の支柱９と、後部枕１１と、後部枕１１を支持する枕ホルダー１２とから構成されるヘッドレスト本体１５を備えている。図４に示すように、後部枕１１は、支持板１１ａと、支持板１１ａの前方に接着されたウレタン素材のクッション１１ｂとから構成されている。支持板１１ａおよびクッション１１ｂはともに湾曲しており、前面が凹形状に形成されている。枕ホルダー１２は、支持板１１ａの後方を覆っており、また、後部枕１１を支柱９に対し揺動自在に取り付けている。このような構造により、後部枕１１の支柱９に対する角度を調整することができる。
【００３１】
また、図３に示すように、ヘッドレスト１０は、側部枕１３と、側部枕１３を後部枕１１に取り付けるための取付具１４とを備えている。
【００３２】
側部枕１３は、略直方体形状に形成された枕部１３ａと、枕部１３ａの底面Ｚから下方に延びる２本の支持脚１３ｄとから形成されている。図５に示すように、２本の支持脚１３ｄはそれぞれ、枕部１３ａの上側および下側に形成されている。また、図４に示すように、枕部１３ａは、形成部材１３ｂと、形成部材１３ｂを覆うウレタン素材のクッション１３ｃとから構成されている。形成部材１３ｂには、溝部１３ｅが形成されており、溝部１３ｅには支持脚１３ｄが取り付けられている。溝部１３ｅは、側部枕１３の側面Ｘと側面Ｘの反対側に位置する側面Ｙとの間に形成され、側面Ｘと側面Ｙとから丁度等しい距離にある中心線Ｍよりも側面Ｘ側に形成されている。そのため、側面Ｘと支持脚１３ｄとの距離Ｄｘは、側面Ｙと支持脚１３ｄとの距離Ｄｙよりも短い。
【００３３】
取付具１４は、直方体形状に形成されている（図５参照）。取付具１４は、後部枕１１の両側の側面にボルト１４ｂによって固定されている。また、取付具１４の上端部および下端部には、溝１４ａが形成されている。２つの溝１４ａには、ヘッドレスト１０の２本の支持脚１３ｄの一部がそれぞれ挿入されている。このような構成により、側部枕１３は、取付具１４によって後部枕１１の側面に着脱自在に取り付けられている。なお、取付具１４は、本実施形態のものに限定されず、側部枕１３を、後部枕１１の左側および右側のいずれか一方、または左右両側に取り付けるためのものであれば、いかなるものであってもよい。また、取付具１４は、側部枕１３を、後部枕１１の左側および右側のいずれか一方、または左右両側に取り付けることができるものであれば、ヘッドレスト本体１５の後部枕１１以外の部分、例えば、支柱９や枕ホルダー１２に取り付けられていてももちろんよい。
【００３４】
以上が実施形態１に係る椅子１の構成である。次に、ヘッドレスト１０の側部枕１３の取付方法について説明する。
【００３５】
図３に示すように、主として、側部枕１３は、後部枕１１において、処置を行う医師Ａとは反対側の側面に固定された取付具１４に取り付けられる。具体的には、側部枕１３は、支持脚１３ｄが取付具１４の溝１４ａ（図４参照）に挿入されることにより、取付具１４に取り付けられ、支持されることとなる。なお、以下、医師Ａが患者Ｂの左側方から処置または施術する場合について説明する。
【００３６】
図７（ａ）は、側部枕１３の側面Ｘが患者Ｂ側を向くように、側部枕１３を取り付けた図である。一方、図７（ｂ）は、側部枕１３の側面Ｙが患者Ｂ側を向くように、側部枕１３を取り付けた図である。側部枕１３の支持脚１３ｄは、側部枕１３の側面Ｘと側面Ｙとの間の中心線Ｍから側面Ｘ側に偏心している。そのため、例えば、患者Ｂの頭部の幅が広い場合、図７（ａ）のように、支持脚１３ｄからの距離の短い側面Ｘが患者Ｂの右側頭部と接する様に側部枕１３を設置する。一方、患者Ｂの頭部の幅が狭い場合、図７（ｂ）のように、支持脚１３ｄからの距離の長い側面Ｙが患者Ｂの右側頭部と接する様に側部枕１３を設置する。
【００３７】
以上により、本実施形態に係るヘッドレスト１０によれば、以前より用いられていた後部枕１１に加え、患者Ｂの頭部が左側または右側方向へ移動することを規制する側部枕１３を備えている。そのため、処置を行う際、後部枕１１の医師Ａと反対側の側面に固定された取付具１４に側部枕１３を取り付けることにより、患者Ｂは処置を行う医師Ａから顔を背けることができなくなる。したがって、本ヘッドレスト１０を用いることにより、処置の際に患者Ｂの頭部が左右方向に移動することを規制することができる。これにより、医師Ａは患者Ｂの頭部の動作に煩わされず、安心して処置を行うことができ、医師Ａの負担を軽減することができる。また、処置に関し、安全性の向上および所要時間の短縮化を図ることもできる。そのため、本ヘッドレスト１０によれば、患者Ｂの精神的負担および肉体的負担を軽減することができる。また、患者Ｂは安心感を得ることができる。
【００３８】
なお、図１〜図７では、側部枕１３は、後部枕１１の右側面に固定された取付具１４のみに取り付けられている。しかし、側部枕１３は、後部枕１１の左側面に固定された取付具１４に取り付けてももちろんよい。
【００３９】
また、１つの側部枕１３を後部枕１１の一方の側面に取り付けるだけでなく、図８（ａ），（ｂ）に示すように、２つの側部枕１３を、後部枕１１の両側面に固定された取付具１４に取り付けることとしてもよい。側部枕１３を後部枕１１の両側に取り付けた場合、患者Ｂの頭部は左右どちら側へも移動させることができなくなる。したがって、上記ヘッドレスト１０によれば、患者Ｂの頭部をより確実に固定することができ、医師Ａは安全に処置を行うことができる。そのため、本ヘッドレスト１０によれば、医師Ａおよび患者Ｂにかかる負担をより軽減することができる。
【００４０】
また、本実施形態に係るヘッドレスト１０の側部枕１３の支持脚１３ｄは、側部枕１３の側面Ｘと側面Ｙとの間にある中心線Ｍよりも側面Ｘ側に設けられており、偏心している。そのため、側部枕１３の側面Ｘと側面Ｙのうち、いずれの側面を患者Ｂ側に向けて側部枕１３を設置するかにより、側部枕１３の側面の後部枕１１に対する位置を変更することが可能となる。したがって、例えば、頭部の幅の広い患者Ｂには、図７（ａ）または図８（ａ）のように、側面Ｘを患者Ｂ側に向けて側部枕１３を設置し、頭部の幅の狭い患者Ｂに対しては、図７（ｂ）または図８（ｂ）のように、側面Ｙを患者Ｂ側に向けて側部枕１３を設置する。このように、本ヘッドレスト１０によれば、簡単な構成により、側部枕１３の後部枕１１に対する左右方向における設置位置を変更することが可能となる。
【００４１】
＜実施形態２＞
実施形態１に係るヘッドレスト１０では、取付具１４は後部枕１１の側面に直接固定されているため、側部枕１３を左右方向に移動させることはできなかった。図９および図１０に示すように、本実施形態に係るヘッドレスト１０は、側部枕１３を左右方向に移動させて側部枕１３の左右方向位置を調整する位置調整機構２０を備えるものである。なお、本実施形態に係るヘッドレスト１０の構成は実施形態１とほぼ同様であるので、異なる部分についてのみ説明し、同様の部分については説明を省略する。
【００４２】
位置調整機構２０は、後部枕１１の側面から左右方向に延びる２本のガイド棒２１を備えている。取付具１４は実施形態１に係る取付具１４と同様の構成に加え、左右方向にガイド棒２１を挿通させる挿通孔２２が設けられている（図１０参照）。このような構成により、取付具１４は、ガイド棒２１にスライド自在に取り付けられている。なお、位置調整機構２０は、ガイド棒２１によって取付具１４をスライドさせる機構に限られない。例えば、ネジ軸を備え、当該ネジ軸に取付具１４を係合させ、ネジ軸を回すことにより、取付具１４の位置を調整するものであってもよい。
【００４３】
また、取付具１４には、ガイド棒２１上の任意の位置において取付具１４の移動を規制するストッパ２３が設けられている。本実施形態では、ストッパ２３はねじからなり、ストッパ２３を締め付けることによって取付具１４のスライド移動を規制する。しかし、ストッパ２３はねじに限られず、例えば、ガイド棒２１を挟み込むことにより取付具１４のスライド移動を規制するものであってもよい。
【００４４】
本実施形態に係るヘッドレスト１０の使用方法について説明する。まず、取付具１４に側部枕１３を取り付ける。具体的には、実施形態１と同様にして取付具１４の溝１４ａに側部枕１３の支持脚１３ｄを挿入する。そして、ストッパ２３を弛め、取付具１４をガイド棒２１に沿ってスライド移動させる。例えば、患者Ｂの頭部の幅が狭い場合、図９（ａ）に示すように、取付具１４を左側にスライドさせ、側部枕１３の側面Ｙが患者Ｂの頭部と接触したところで止める。次に、ストッパ２３を締め付けて取付具１４をガイド棒２１に固定する。このようにして、患者Ｂの頭部は右側への移動が規制される。なお、ここでは、後部枕１１の右側面にのみ側部枕１３を取り付けた場合について説明しているが、左側面にも側部枕１３を取り付け、患者Ｂの頭部が左側へも移動できない様に規制することも可能である。
【００４５】
本実施形態に係るヘッドレスト１０によれば、簡単な構成により、側部枕１３の左右方向への位置調整を行うことができる。そのため、患者Ｂの頭部の幅に応じて側部枕１３の位置を調整することができ、より確実に患者Ｂの頭部を固定することができる。また、これにより、処置を円滑に行うことができ、医師Ａおよび患者Ｂにかかる負担をより軽減することができる。
【００４６】
なお、本実施形態に係るヘッドレスト１０に関しても、実施形態１と同様に、患者Ｂ側に向ける側部枕１３の側面を変更する（側面Ｘから側面Ｙへ、または、側面Ｙから側面Ｘへ変更する）ことが可能である。したがって、本ヘッドレスト１０によっても、個々の患者に応じて、側部枕１３の設置位置を変更することができる。
【００４７】
＜実施形態３＞
図１１（ａ），（ｂ）に示すように、本実施形態に係るヘッドレスト１０は、実施形態１の側部枕１３（図３参照）に替えて、患者を処置または施術する医師の手首を支えるリストレスト３０を取付具１４に取り付けたものである。本実施形態に係るヘッドレスト１０の構成は実施形態１とほぼ同様であるので、異なる部分についてのみ説明し、同様の部分については説明を省略する。
【００４８】
リストレスト３０は、略Ｕ字形状に形成され、医師が手首を載せるための湾曲部材３１と、湾曲部材３１の互いに略平行に延びる直線部分の下端に設けられ、下方に延びる各々２本（合計４本）の支持脚３２とを備えている。
【００４９】
本実施形態に係るヘッドレスト１０の後部枕１１には、両側面に実施形態１と同様の取付具１４が固定されている。また、上述した４本の支持脚３２は、左右の取付具１４の溝１４ａに挿入されている。これにより、リストレスト１０は、後部枕１１に着脱自在に取り付けられる。そして、医師はリストレスト１０に手首を載せ、処置を行う。
【００５０】
以上のように、本実施形態に係るヘッドレスト１０では、実施形態１に係るヘッドレスト１０において側部枕１３を後部枕１１に着脱自在に取り付ける取付具１４を、リストレスト３０を後部枕１１に取り付ける取付具としても用いている。そのため、側部枕１３をリストレスト３０に容易に取り替えることができる。したがって、医師は、処置の種類に応じて側部枕１３を取り付けるかリストレスト３０を取り付けるかを選択することができる。そのため、本ヘッドレスト１０によれば、医師の負担をさらに軽減することができる。
【００５１】
また、以前より、処置の際、同様のリストレスト３０が用いられているが、従来のものは、リストレスト３０の湾曲部３１の中央部分またはリストレスト３０の一方の端部に設けられた１本の支持脚によって支持されている。それに比べ、本ヘッドレスト１０に取り付けるリストレスト３０は、支持脚３２を湾曲部材３１の２箇所の直線部分に2本ずつ（計４本）備えている。そして、当該支持脚３２を取り付け具１４の溝１４ａに挿入することにより、リストレスト３０は、取付具１４に取り付けられ、支持される。これにより、以前のものより、しっかりと支持されるため、安定感が増す。したがって、本ヘッドレスト１０によれば、医師にかかる負担を以前よりもさらに軽減することが可能である。
【００５２】
なお、本実施形態では、リストレスト３０は、略Ｕ字形状に形成された湾曲部材３１を有していた。しかし、リストレスト３０は、このような形状に限定されず、医師の手首を載せることができるものであれば、どのような形状であってもよい。
【００５３】
＜実施形態４＞
図１２（ａ），（ｂ）に示すように、本実施形態に係るヘッドレスト１０は、実施形態１の側部枕１３（図３参照）に替えて、患者の処置に使用される器械類を一時的に載置する器械台４０を取付具１４に取り付けたものである。本実施形態に係るヘッドレスト１０の構成は実施形態１とほぼ同様であるので、異なる部分についてのみ説明し、同様の部分については説明を省略する。
【００５４】
器械台４０は、支持板４１と、支持板４１の上部に設けられた受け皿４２とを備えている。また、支持板４１の一端部には、支持板４１および受け皿４２を支持する２本の支持脚４３が設けられている。
【００５５】
なお、本実施形態に係るヘッドレスト１０の後部枕１１にも、両側面に実施形態１と同様の取付具１４が固定されている。また、上述した２本の支持脚４３は、上記取付具１４の溝１４ａに挿入されている。これにより、器械台４０は、後部枕１１に着脱自在に取り付けられる。そして、医師は処置の際、必要に応じて側部枕１３を器械台４０に簡単に取り替えることができる。したがって、側部枕１３が不要な場合、当該器械台４０を取り付け、例えば、処置に不要となったメスや止血紙等を一時的に載置することも可能である。また、後部枕１１の一方側の側面に側部枕１３を取り付け、他方側の側面に器械台４０を設置することも可能である。このようにして、本ヘッドレスト１０によっても、処置の種類に応じて側部枕１３または器械台４０を着脱することにより、医師にかかる様々な負担を軽減することができる。
【００５６】
なお、上述した実施形態１〜４に係るヘッドレスト１０は、いずれも眼科における処置の際に使用される椅子１に取り付けられていた。しかし、ヘッドレスト１０が取り付けられるのは、椅子１だけに限られない。本発明に係るヘッドレスト１０は、眼科における処置の際に患者を載せることができるいかなる処置台にも取り付け可能である。
【産業上の利用可能性】
【００５７】
以上説明したように、本発明は、ヘッドレストおよびそれを備えた眼科用処置椅子について有用である。
【図面の簡単な説明】
【００５８】
【図１】椅子状態における椅子の側面図である。
【図２】寝台状態における椅子の側面図である。
【図３】寝台状態おけるヘッドレストを患者の足元側から頭側に向かって視た図である。
【図４】図３の方向視におけるヘッドレストの断面図である。
【図５】ヘッドレストの右側面図である。
【図６】ヘッドレストの正面図である。
【図７】（ａ），（ｂ）は、側部枕を左右反転させて取り付けた場合におけるヘッドレストを、患者の足元側から頭側に向かって視た図である。
【図８】（ａ），（ｂ）は、変形例に係るヘッドレストを、患者の足元側から頭側に向かって視た図である。
【図９】（ａ），（ｂ）は、実施形態２に係るヘッドレストを、患者の足元側から頭側に向かって視た図である。
【図１０】実施形態２に係るヘッドレストの右側面図である。
【図１１】（ａ）は、実施形態３に係るヘッドレストの正面図である。（ｂ）は、実施形態３に係るヘッドレストを、患者の足元側から頭側に向かって視た図である。
【図１２】（ａ）は、実施形態４に係るヘッドレストの正面図である。（ｂ）は、実施形態４に係るヘッドレストを、患者の足元側から頭側に向かって視た図である。
【符号の説明】
【００５９】
１      椅子（眼科用処置椅子）
４      着座部
５      背もたれ部
９      支柱
１０    ヘッドレスト
１１    後部枕
１３    側部枕
１３ａ  枕部
１３ｄ  支持脚
１４    取付具
１５    ヘッドレスト本体
２０    位置調整機構
２１    ガイド棒（ガイド部材）
２３    ストッパ
３０    リストレスト
４０    器械台
Ａ      医師
Ｂ      患者
Ｘ      側面（側面、第１の側面）
Ｙ      側面（側面、第２の側面）
Ｚ      底面
【図１】
2008036246.tif 000003
【図２】
2008036246.tif 000004
【図３】
2008036246.tif 000005
【図４】
2008036246.tif 000006
【図５】
2008036246.tif 000007
【図６】
2008036246.tif 000008
【図７】
2008036246.tif 000009
【図８】
2008036246.tif 000010
【図９】
2008036246.tif 000011
【図１０】
2008036246.tif 000012
【図１１】
2008036246.tif 000013
【図１２】
2008036246.tif 000014